(57)【要約】【課題】軸の異なる複数のレンズを必要に応じて隠すことのできる撮像装置を提供する。【解決手段】撮像装置２は、異なる光軸ＬＡ，ＬＢを有するレンズ２１Ａ，２１Ｂを含むレンズ部２２Ａ，２２Ｂと、レンズ部２２Ａ，２２Ｂを保持するベース部材１０と、ベース部材１０に対して回転可能な駆動部材３０と、駆動部材３０に連結される羽根部材４０と、駆動部材３０を移動させるモータ６０とを備える。羽根部材４０は、レンズ２１Ａ，２１Ｂに対して被写体側に位置し、駆動部材３０の回転に伴って、レンズ２１Ａ，２１Ｂを覆う閉位置とレンズ２１Ａ，２１Ｂを外部に露出させる開位置との間でベース部材１０に対して位置が変化するように構成される。【選択図】図３
2020098272.tif 000002
【特許請求の範囲】
【請求項１】
異なる光軸を有する複数のレンズを含む少なくとも１つのレンズ部と、
前記少なくとも１つのレンズ部を保持するベース部材と、
前記ベース部材に対して相対的に移動可能な駆動部材と、
前記駆動部材に連結される複数の羽根部材であって、前記複数のレンズに対して被写体側に位置する複数の羽根部材と、
前記駆動部材を移動させるアクチュエータと
を備え、
前記複数の羽根部材は、前記駆動部材の移動に伴って、前記複数のレンズを覆う閉位置と前記複数のレンズを外部に露出させる開位置との間で前記ベース部材に対して位置が変化するように構成される、
撮像装置。
【請求項２】
前記ベース部材は、少なくとも１つの開口が形成された基部を有し、
前記少なくとも１つのレンズ部は、前記基部の前記少なくとも１つの開口内に配置される、
請求項１に記載の撮像装置。
【請求項３】
前記少なくとも１つのレンズ部は、前記ベース部材の前記基部から前記被写体側に突出するように配置される、請求項２に記載の撮像装置。
【請求項４】
前記複数の羽根部材が前記閉位置にあるときに、前記少なくとも１つのレンズ部の前記被写体側の端部が前記ベース部材の前記少なくとも１つの開口内に位置し、前記複数の羽根部材が前記開位置にあるときに、前記少なくとも１つのレンズ部が前記ベース部材の前記基部から前記被写体側に突出するように、前記少なくとも１つのレンズ部を移動するレンズ移動機構をさらに備える、請求項２に記載の撮像装置。
【請求項５】
前記複数の羽根部材が前記閉位置にあるときに、前記少なくとも１つのレンズ部の前記被写体側の端部が前記羽根部材よりも撮像素子側に位置し、前記複数の羽根部材が前記開位置にあるときに、前記少なくとも１つのレンズ部が前記羽根部材を越えて前記被写体側に突出するように、前記少なくとも１つのレンズ部を移動するレンズ移動機構をさらに備える、請求項２に記載の撮像装置。
【請求項６】
前記ベース部材の前記基部の前記少なくとも１つの開口は、前記複数のレンズと同数の開口を含み、
前記少なくとも１つのレンズ部は、前記複数のレンズと同数のレンズ部を含み、
前記少なくとも１つのレンズ部は、それぞれ対応する前記基部の前記少なくとも１つの開口内に配置される、
請求項２から５のいずれか一項に記載の撮像装置。
【請求項７】
前記複数の羽根部材が前記閉位置にあるときに、前記複数の羽根部材の半径方向内側において前記ベース部材の一部が外部に露出している、請求項１から６のいずれか一項に記載の撮像装置。
【請求項８】
前記ベース部材は、前記少なくとも１つのレンズ部を含むカメラモジュールの位置を規定する位置決め部を有する、請求項１から７のいずれか一項に記載の撮像装置。
【請求項９】
前記ベース部材は、前記少なくとも１つのレンズ部を含むカメラモジュールを前記ベース部材に固定するための接着材を溜めるための貯留空間を形成する接着材貯留部を有する、請求項１から８のいずれか一項に記載の撮像装置。
【請求項１０】
請求項１から９のいずれか一項に記載の撮像装置を備える携帯端末。
【発明の詳細な説明】
【技術分野】
【０００１】
本発明は、撮像装置及び携帯端末に係り、特に光軸の異なる複数のレンズを含む撮像装置に関するものである。
【背景技術】
【０００２】
近年、スマートフォンなどの携帯端末においては、異なる焦点距離で被写体を撮影したり、異なる特性の撮像素子で被写体を撮影したり、被写体までの距離情報を取得したりするために複数のカメラが設けられることが多くなってきている（例えば、特許文献１参照）。このような複数のカメラが取り付けられた携帯端末では、複数のレンズが外部に露出しているため、その外観は違和感を覚えやすいものとなっている。したがって、このような複数のカメラが取り付けられた携帯端末においては、例えば、カメラを使用していないときにレンズを隠すなどして違和感を与えにくい外観とすることが求められてきている。
【先行技術文献】
【特許文献】
【０００３】
【特許文献１】特開２０１８−１８０２２号公報
【発明の概要】
【発明が解決しようとする課題】
【０００４】
本発明は、このような従来技術の問題点に鑑みてなされたもので、光軸の異なる複数のレンズを必要に応じて隠すことのできる撮像装置を提供することを第１の目的とする。
【０００５】
また、本発明は、違和感を与えにくい外観の携帯端末を提供することを第２の目的とする。
【課題を解決するための手段】
【０００６】
本発明の第１の態様によれば、軸の異なる複数のレンズを必要に応じて隠すことのできる撮像装置が提供される。この撮像装置は、異なる光軸を有する複数のレンズを含む少なくとも１つのレンズ部と、上記少なくとも１つのレンズ部を保持するベース部材と、上記ベース部材に対して相対的に移動可能な駆動部材と、上記駆動部材に連結される複数の羽根部材と、上記駆動部材を移動させるアクチュエータとを備える。上記複数の羽根部材は、上記複数のレンズに対して被写体側に位置する。上記複数の羽根部材は、上記駆動部材の移動に伴って、上記複数のレンズを覆う閉位置と上記複数のレンズを外部に露出させる開位置との間で上記ベース部材に対して位置が変化するように構成される。
【０００７】
このような構成によれば、アクチュエータにより駆動部材を移動させることで、羽根部材の位置を複数のレンズを覆う閉位置と複数のレンズを外部に露出させる開位置との間で変化させることができる。したがって、撮像装置を使用しないときには、羽根部材を閉位置に配置することによって複数のレンズを羽根部材で覆って外部から見えないようにして違和感を与えにくい外観を実現することができるとともに、撮像装置を使用する際には、羽根部材を開位置に配置することによってレンズを外部に露出させて複数のレンズを用いた撮像を行うことができる。
【０００８】
上記ベース部材には、円環状の溝部が形成されていてもよく、上記駆動部材は、上記ベース部材の上記溝部内を移動可能なリング部を有していてもよい。
【０００９】
また、上記複数の羽根部材のそれぞれは、上記ベース部材に対して位置が固定された回転軸を中心として回転可能に構成されていてもよい。この場合において、上記回転軸が周方向に沿って等間隔に配置されていることが好ましい。
【００１０】
また、上記ベース部材は、上記回転軸として複数の回転ピンを有していてもよい。この場合において、上記駆動部材は、上記複数の羽根部材に対応する複数の駆動ピンを有し、上記複数の羽根部材のそれぞれには、上記ベース部材の上記回転ピンが挿通される軸孔と、上記駆動部材の上記駆動ピンが係合するガイド溝とが形成されていてもよい。
【００１１】
上記複数の羽根部材は、周方向に沿って順番に重なっていることが好ましい。このように、複数の羽根部材が周方向に沿って順番に重なっているので、羽根部材が閉位置から開位置に、あるいは開位置から閉位置に移動する際には、隣接する羽根部材が互いに摺接しながら移動する。このため、隣接する羽根部材の縁部が衝突して引っ掛かることがない。したがって、羽根部材を閉位置から開位置、あるいは開位置から閉位置に滑らかに移動させることが可能となる。
【００１２】
上記複数の羽根部材は、同一の形状を有していることが好ましい。また、上記アクチュエータは、上記駆動部材を移動させる動力を発生するモータを含んでいることが好ましい。
【００１３】
上記ベース部材は、少なくとも１つの開口が形成された基部を有していてもよい。この場合において、上記少なくとも１つのレンズ部は、上記基部の上記少なくとも１つの開口内に配置されていることが好ましい。このようにベース部材の基部に形成された開口内にレンズ部を配置することで、撮像装置の光軸方向の厚さを小さく維持することができる。
【００１４】
また、上記少なくとも１つのレンズ部は、上記ベース部材の上記基部から上記被写体側に突出するように配置されていてもよい。このような構成により、例えばレンズ部のレンズが広角レンズである場合などにケラレが発生することを防止できる。
【００１５】
上記少なくとも１つのレンズ部の上記被写体側の端部は、上記ベース部材の上記少なくとも１つの開口内に位置していてもよい。このような構成により、例えばレンズ部のレンズが望遠レンズである場合などに、羽根部材がレンズに接触してレンズの光学特性に影響を与えることを防止することができる。
【００１６】
上記撮像装置は、上記複数の羽根部材が上記閉位置にあるときに、上記少なくとも１つのレンズ部の上記被写体側の端部が上記ベース部材の上記少なくとも１つの開口内に位置し、上記複数の羽根部材が上記開位置にあるときに、上記少なくとも１つのレンズ部が上記ベース部材の上記基部から上記被写体側に突出するように、上記少なくとも１つのレンズ部を移動するレンズ移動機構をさらに備えていてもよい。このような構成によれば、撮像装置を使用していないときには、羽根部材がレンズに接触してレンズの光学特性に影響を与えることを防止することができるとともに、撮像装置を使用する際には、レンズにより得られる像にケラレが発生することを防止できる。
【００１７】
あるいは、上記撮像装置は、上記複数の羽根部材が上記閉位置にあるときに、上記少なくとも１つのレンズ部の上記被写体側の端部が上記羽根部材よりも撮像素子側に位置し、上記複数の羽根部材が上記開位置にあるときに、上記少なくとも１つのレンズ部が上記羽根部材を越えて上記被写体側に突出するように、上記少なくとも１つのレンズ部を移動するレンズ移動機構をさらに備えていてもよい。このような構成によれば、撮像装置を使用していないときには、羽根部材がレンズに接触してレンズの光学特性に影響を与えることを防止することができるとともに、撮像装置を使用する際には、レンズの焦点距離を広い範囲で調整することができる。
【００１８】
上記ベース部材の上記基部の上記少なくとも１つの開口は、上記複数のレンズと同数の開口を含んでいてもよい。また、上記少なくとも１つのレンズ部は、上記複数のレンズと同数のレンズ部を含んでいてもよい。上記少なくとも１つのレンズ部は、それぞれ対応する上記基部の上記少なくとも１つの開口内に配置されていてもよい。このように、ベース部材の基部の開口の数及びレンズ部の数をレンズの数と一致させ、それぞれのレンズ部を対応する開口内に配置することにより、基部に形成する開口をできる限り小さくすることができ、ベース部材の後方に配置される部品が外部に見えることを防止することができる。また、それぞれのレンズ部の周囲にベース部材の基部が位置することとなるので、不必要な光をベース部材の基部で遮ってレンズに入射することを防止することができる。
【００１９】
上記複数の羽根部材が上記閉位置にあるときに、上記複数の羽根部材の半径方向内側において上記ベース部材の一部が外部に露出していてもよい。
【００２０】
上記ベース部材は、上記少なくとも１つのレンズ部を含むカメラモジュールの位置を規定する位置決め部を有することが好ましい。このような位置決め部によりカメラモジュールの位置を規定することにより、カメラモジュールをベース部材に対して簡単に位置決めすることができ、正確なピッチで複数のレンズを配置することができる。
【００２１】
また、上記ベース部材の上記収容壁は、上記少なくとも１つのレンズ部を含むカメラモジュールを上記ベース部材に固定するための接着材を溜めるための貯留空間を形成する接着材貯留部を有していてもよい。このような接着材貯留部により規定される貯留空間には、カメラモジュールをベース部材に固定するための接着材を注入して溜めることができ、この接着材を硬化させることでカメラモジュールをベース部材に簡単に固定することができる。
【００２２】
本発明の第２の態様によれば、違和感を与えにくい外観の携帯端末が提供される。この携帯端末は、上述した撮像装置を備えている。
【発明の効果】
【００２３】
本発明によれば、光軸の異なる複数のレンズを必要に応じて隠すことができる。したがって、撮像装置を使用しないときには、羽根部材を閉位置に配置することによって複数のレンズを羽根部材で覆って外部から見えないようにして違和感を与えにくい外観を実現することができるとともに、撮像装置を使用する際には、羽根部材を開位置に配置することによってレンズを外部に露出させて複数のレンズを用いた撮像を行うことができる。
【図面の簡単な説明】
【００２４】
【図１】図１は、本発明の一実施形態における撮像装置を内蔵した携帯端末としてのスマートフォンを模式的に示す斜視図である。
【図２Ａ】図２Ａは、図１の撮像装置を示す正面図である。
【図２Ｂ】図２Ｂは、図２Ａの撮像装置の右側面図である。
【図２Ｃ】図２Ｃは、図２Ａの撮像装置の背面図である。
【図３】図３は、図２Ａの撮像装置の分解斜視図である。
【図４】図４は、図２ＡのＡ−Ａ線断面図である。
【図５Ａ】図５Ａは、図３の撮像装置におけるベース部材を示す正面図である。
【図５Ｂ】図５Ｂは、図５Ａのベース部材の背面図である。
【図６Ａ】図６Ａは、図３の撮像装置における駆動部材を示す正面図である。
【図６Ｂ】図６Ｂは、図６Ａの駆動部材の背面図である。
【図７】図７は、図３の撮像装置における羽根部材の１つを示す正面図である。
【図８】図８は、図２Ａに示す撮像装置から羽根押さえを取り除いた状態を示す正面図であり、羽根部材が閉位置にあるときを示している。
【図９】図９は、図３の撮像装置における羽根押さえを示す正面図である。
【図１０】図１０は、羽根部材が図８に示す閉位置から開位置に移動した状態を示す正面図である。
【図１１】図１１は、羽根部材が開位置にあるときのスマートフォンを模式的に示す斜視図である。
【図１２】図１２は、本発明の他の実施形態における撮像装置の断面図である。
【図１３】図１３は、本発明のさらに他の実施形態における撮像装置を内蔵した携帯端末としてのスマートフォンを模式的に示す斜視図である。
【発明を実施するための形態】
【００２５】
以下、本発明に係る撮像装置を含む携帯端末の実施形態について図１から図１３を参照して詳細に説明する。なお、図１から図１３において、同一又は相当する構成要素には、同一の符号を付して重複した説明を省略する。また、図１から図１３においては、各構成要素の縮尺や寸法が誇張されて示されている場合や一部の構成要素が省略されている場合がある。
【００２６】
図１は、本発明の一実施形態における携帯端末の一例としてのスマートフォン１を模式的に示す斜視図である。このスマートフォン１の内部には、以下に述べる撮像装置２が組み込まれている。本明細書においては、Ｙ軸に沿って被写体側（＋Ｙ方向側）を「前」又は「前方」、撮像素子側（−Ｙ方向側）を「後」又は「後方」ということとする。なお、本発明に係る携帯端末は、本実施形態で述べるようなスマートフォンに限られるものではなく、タブレットコンピュータ、ラップトップコンピュータなど各種の携帯端末に対しても本発明を適用することができる。
【００２７】
図２Ａは、撮像装置２を示す正面図、図２Ｂは右側面図、図２Ｃは背面図、図３は分解斜視図、図４は図２ＡのＡ−Ａ線断面図である。図２Ａから図４に示すように、撮像装置２は、略円板状のベース部材１０と、ベース部材１０に取り付けられた２つのカメラモジュール２０Ａ，２０Ｂとを含んでいる。図３に示すように、ベース部材１０の前方には、略円環状の駆動部材３０、９枚の羽根部材４０、及び羽根押さえ５０がこの順番で配置されている。
【００２８】
カメラモジュール２０Ａは、光軸ＬＡを有するレンズ２１Ａを含むレンズ部２２Ａと、レンズ２１Ａを透過した光が結像する撮像面に撮像素子（図示せず）を備えた撮像部２３Ａとを有している。同様に、カメラモジュール２０Ｂは、光軸ＬＢを有するレンズ２１Ｂを含むレンズ部２２Ｂと、レンズ２１Ｂを透過した光が結像する撮像面に撮像素子（図示せず）を備えた撮像部２３Ｂとを有している。
【００２９】
図５Ａはベース部材１０を示す正面図、図５Ｂは背面図である。図５Ａ及び図５Ｂに示すように、ベース部材１０は、略円板状の基部１９を含んでおり、この基部１９には、カメラモジュール２０Ａ，２０Ｂのレンズ部２２Ａ，２２Ｂに対応して円形の開口１１Ａ，１１Ｂが形成されている。これらの開口１１Ａ，１１Ｂには、カメラモジュール２０Ａ，２０Ｂのレンズ部２２Ａ，２２Ｂが挿入され、ベース部材１０にレンズ部２２Ａ，２２Ｂが保持される。
【００３０】
また、図５Ｂに示すように、基部１９の後面からは、略矩形状の２つの収容空間ＲＡ，ＲＢを規定する収容壁１２が−Ｙ方向に延びている。この収容壁１２によって規定される収容空間ＲＡ，ＲＢの寸法は、カメラモジュール２０Ａ，２０Ｂの撮像部２３Ａ，２３Ｂの外形寸法に略一致しており、図２Ｃに示すように、この収容空間ＲＡ，ＲＢ内にカメラモジュール２０Ａ，２０Ｂの撮像部２３Ａ，２３Ｂが収容されている。このように収容壁１２によって規定される収容空間ＲＡ，ＲＢ内にカメラモジュール２０Ａ，２０Ｂの撮像部２３Ａ，２３Ｂを収容することにより、カメラモジュール２０Ａ，２０Ｂの撮像部２３Ａ，２３Ｂをベース部材１０に対して簡単に位置決めすることができ、正確なピッチでレンズ２１Ａ，２１Ｂを配置することができる。すなわち、本実施形態におけるベース部材１０の収容壁１２は、カメラモジュール２０Ａ，２０Ｂの位置を規定する位置決め部としての役割を有している。このような収容壁１２に代えて、あるいは収容壁１２に加えて、基部１９から−Ｙ方向に延びるボスを位置決め部として用いることもできる。
【００３１】
図５Ｂに示すように、収容壁１２は、＋Ｘ方向及び−Ｘ方向に少し膨らんだ接着材貯留部１３を有している。この接着材貯留部１３によって、図２Ｃ及び図５Ｂに示すように、収容空間ＲＡ，ＲＢに隣接してカメラモジュール２０Ａ，２０Ｂの撮像部２３Ａ，２３Ｂと接着材貯留部１３との間に貯留空間ＥＡ，ＥＢが形成される。カメラモジュール２０Ａ，２０Ｂをベース部材１０に固定するための接着材をこの貯留空間ＥＡ，ＥＢに注入して、接着材を硬化させることによりカメラモジュール２０Ａ，２０Ｂをベース部材１０に簡単に固定することができる。なお、上述のように基部１９から−Ｙ方向に延びるボスを位置決め部として用いる場合には、カメラモジュール２０Ａ，２０Ｂに当接する基部１９の表面に、複数の凹部を接着材貯留部として形成してもよい。この場合には、凹部内に形成される貯留空間に接着材を注入した後、その接着材上にカメラモジュール２０Ａ，２０Ｂを配置し、接着材を硬化させることによりカメラモジュール２０Ａ，２０Ｂをベース部材１０に簡単に固定することができる。
【００３２】
図３及び図５Ａに示すように、ベース部材１０には、開口１１Ａ，１１Ｂを取り囲むように円環状の溝部１４が形成されている。溝部１４の半径方向外側には、＋Ｙ方向に延びる９個の回転ピン１５と、＋Ｙ方向に延びる９個の当接ピン１６とが形成されている。これらの回転ピン１５は周方向に沿って等間隔で配置されている。同様に、当接ピン１６も周方向に沿って等間隔で配置されている。当接ピン１６のＹ方向の長さは、回転ピン１５のＹ方向の長さよりも短くなっている。
【００３３】
図２Ｂ及び図２Ｃに示すように、ベース部材１０の基部１９の後端面には、駆動部材３０を移動させる動力を発生するモータ６０がビス６１を介して取り付けられている。図３に示すように、このモータ６０のモータシャフトの先端にはギア６２が取り付けられており、このギア６２はベース部材１０に形成されたギアホール１７（図５Ｂ参照）内に位置している。例えばステッピングモータをモータ６０として用いることができる。
【００３４】
ベース部材１０の溝部１４の前面側にはギア収容部１８が形成されており、このギア収容部１８はギアホール１７に連通している。このギア収容部１８の内部には、＋Ｙ方向に延びるギア軸１８Ａが配置されている。このギア軸１８Ａには、大径ギア６４と小径ギア６５とを有する二段ギア６３が回転可能に取り付けられる。二段ギア６３の大径ギア６４はギアホール１７内のギア６２に噛合している。
【００３５】
図６Ａは駆動部材３０を示す正面図、図５Ｂは背面図である。図６Ａ及び図６Ｂに示すように、駆動部材３０は、上述したベース部材１０の溝部１４に対応した円環形状のリング部３３と、リング部３３の前面から＋Ｙ方向に延びる９個の駆動ピン３１と、上述したベース部材１０のギア収容部１８に対応する位置に形成されたギア３２とを有している。駆動部材３０のリング部３３は、ベース部材１０の溝部１４に収容され、ベース部材１０の溝部１４内で移動（回転）できるようになっている。駆動部材３０の駆動ピン３１は、周方向に沿って等間隔に形成されている。
【００３６】
駆動部材３０のギア３２は、上述した二段ギア６３の小径ギア６５に噛合している。これにより、モータ６０のモータシャフトが、ギア６２、二段ギア６３、及びギア３２を介して駆動部材３０に連結されている。このように、本実施形態においては、モータ６０、ギア６２、二段ギア６３、及びギア３２によって駆動部材３０を移動（回転）させるアクチュエータが構成されている。
【００３７】
図７は、羽根部材４０の１つを示す正面図、図８は、図２Ａに示す撮像装置２から羽根押さえ５０を取り除いた状態を示す正面図である。９枚の羽根部材４０は同一の形状を有している。それぞれの羽根部材４０は、図７に示すように、半径方向内側に向かうにつれて細くなった先端部４１を有している。これらの羽根部材４０は、撮像装置２の内部に配置されるものであるため、高い強度を有する材料により形成する必要がない。
【００３８】
本実施形態では、図８に示すように、９枚の羽根部材４０が周方向に沿って順番に重なっている。より具体的には、図８において、羽根部材４０Ａに対して周方向に隣接する羽根部材４０Ｂが羽根部材４０Ａの前方に重なり、その羽根部材４０Ｂに対して周方向に隣接する羽根部材４０Ｃが羽根部材４０Ｂの前方に重なり、以下同様に羽根部材４０Ｄ，４０Ｅ，４０Ｆ，４０Ｇ，４０Ｈ，４０Ｉが順番に前方に重なっている。
【００３９】
また、図７に示すように、それぞれの羽根部材４０には、半径方向外側に位置する軸孔４２と、円弧状に延びるガイド溝４３とが形成されている。図８に示すように、それぞれの羽根部材４０の軸孔４２にはベース部材１０の回転ピン１５が挿通され、これによってそれぞれの羽根部材４０がベース部材１０の回転ピン１５を中心として回転するようになっている。また、羽根部材４０のガイド溝４３には駆動部材３０の駆動ピン３１が挿通され、これによって駆動部材３０の駆動ピン３１が羽根部材４０のガイド溝４３内を移動できるようになっている。
【００４０】
図９は、羽根押さえ５０を示す正面図である。図９に示すように、羽根押さえ５０は略円環状の部材であり、その外径はベース部材１０の外径と略等しくなっている。羽根押さえ５０には、半径方向外側に位置する９個の円形の軸孔５２が形成されている。これらの円形孔５２は、ベース部材１０の回転ピン１５の位置に対応して周方向に沿って等間隔に形成されている。これらの羽根押さえ５０の軸孔５２には、羽根部材４０の軸孔４２に挿通されたベース部材１０の回転ピン１５が嵌入されるようになっている。
【００４１】
また、羽根押さえ５０には、円弧状に延びる９個の円弧孔５３が形成されている。これらの円弧孔５３は、駆動部材３０の駆動ピン３１の位置に対応して周方向に沿って等間隔に形成されている。すなわち、羽根押さえ５０の円弧孔５３には、羽根部材４０のガイド溝４３に挿通された駆動部材３０の駆動ピン３１が収容されており、回転する駆動部材３０の駆動ピン３１が羽根押さえ５０の円弧孔５３内で周方向に移動するようになっている。
【００４２】
図２Ｂに示すように、羽根押さえ５０の後端面には、ベース部材１０の当接ピン１６が当接しており、これらの当接ピン１６によって羽根押さえ５０のＹ方向の位置決めがなされる。
【００４３】
このような構成の撮像装置２において、図８に示す状態では、複数の羽根部材４０は、羽根押さえ５０の内縁５０Ａ（図２Ａ参照）から半径方向内側に迫り出してレンズ２１Ａ，２１Ｂに覆い被さっている。これによって、図１に示すように、２つのレンズ２１Ａ，２１Ｂがスマートフォン１の外部から見えないようになっている。このときの羽根部材４０の位置を「閉位置」ということとする。本実施形態では、撮像装置２を使用しないとき、すなわち撮像装置２による撮像を行わないときには、羽根部材４０をこの閉位置に配置して２つのレンズ２１Ａ，２１Ｂがスマートフォン１の外部から見えないようにして違和感を与えにくい外観を実現する。
【００４４】
撮像装置２を使用する際には、モータ６０を駆動し、モータシャフトの回転をギア６２、二段ギア６３、及びギア３２を介して駆動部材３０に伝達することで、駆動部材３０を図８の軸Ｐを中心として時計回りに回転させる。これによって、駆動部材３０の駆動ピン３１も時計回りに回転することとなるが、軸Ｐを中心として回転する駆動ピン３１が羽根部材４０のガイド溝４３に係合しつつガイド溝４３内を移動することにより、羽根部材４０はベース部材１０の回転ピン１５を中心として反時計回りに回転することとなる。これによって、図１０に示すように、羽根部材４０がレンズ２１Ａ，２１Ｂ上から移動し、図１１に示すように、レンズ２１Ａ，２１Ｂを外部に露出させることができる。このように、モータ６０を駆動して駆動部材３０を回転させることで、レンズ２１Ａ，２１Ｂを外部に露出させて、２つのレンズ２１Ａ，２１Ｂを用いた撮像を行うことが可能となる。
【００４５】
なお、本実施形態においては、羽根部材４０が閉位置にある状態では、図８に示すように、羽根部材４０の半径方向内側に、羽根部材４０によって覆われない空間Ｓが形成される。この空間Ｓを通じてベース部材１０の基部１９が外部に露出するようになっている。
【００４６】
上記で述べたように、本実施形態における撮像装置２によれば、モータ６０を駆動して駆動部材３０を回転させることで、羽根部材４０の位置をレンズ２１Ａ，２１Ｂを覆う閉位置とレンズ２１Ａ，２１Ｂを外部に露出させる閉位置との間で変化させることができる。したがって、撮像装置２を使用しないときには、羽根部材４０を閉位置に配置することによってレンズ２１Ａ，２１Ｂを羽根部材４０で覆って外部から見えないようにして違和感を与えにくい外観を実現することができるとともに、撮像装置２を使用する際には、羽根部材４０を開位置に配置することによってレンズ２１Ａ，２１Ｂを外部に露出させて複数のレンズ２１Ａ，２１Ｂを用いた撮像を行うことができる。
【００４７】
また、本実施形態では、上述したように、９枚の羽根部材４０が周方向に沿って順番に重なっているため、羽根部材４０が閉位置から開位置に、あるいは開位置から閉位置に移動する際には、隣接する羽根部材４０が互いに摺接しながら移動する。このため、隣接する羽根部材４０の縁部が衝突して引っ掛かることがない。したがって、羽根部材４０を閉位置から開位置に、あるいは開位置から閉位置に滑らかに移動させることが可能となる。
【００４８】
ところで、図４に示すように、カメラモジュール２０Ａ，２０Ｂのレンズ部２２Ａ，２２Ｂは、ベース部材１０の基部１９に形成された開口１１Ａ，１１Ｂ内に配置されている。小型の携帯端末に組み込まれるレンズ部を薄くすることには限界があるが、このようにベース部材１０の基部１９に形成された開口１１Ａ，１１Ｂ内にレンズ部２２Ａ，２２Ｂを配置することで、撮像装置２のＹ方向の厚さを小さく維持することができる。
【００４９】
本実施形態では、図４に示すように、カメラモジュール２０Ａ，２０Ｂのレンズ部２２Ａ，２２Ｂは、ベース部材１０の基部１９から＋Ｙ方向側に突出するように配置されている。このような構成により、例えばレンズ部２２Ａ，２２Ｂのレンズ２１Ａ，２１Ｂが広角レンズである場合などにケラレが発生することを防止できる。
【００５０】
また、本実施形態では、ベース部材１０の基部１９には、レンズ部２２Ａ，２２Ｂのレンズ２１Ａ，２１Ｂの数と同数の開口１１Ａ，１１Ｂが形成されており、それぞれの開口１１Ａ，１１Ｂ内にレンズ部２２Ａ，２２Ｂがそれぞれ配置されている。このように、開口１１Ａ，１１Ｂの数及びレンズ部２２Ａ，２２Ｂの数をレンズ２１Ａ，２１Ｂの数と一致させ、それぞれのレンズ部２２Ａ，２２Ｂを対応する開口１１Ａ，１１Ｂ内に配置することにより、基部１９に形成する開口１１Ａ，１１Ｂをできる限り小さくすることができ、ベース部材１０の後方に配置される部品（基板など）が外部に見えることを防止することができる。また、それぞれのレンズ部２２Ａ，２２Ｂの周囲にベース部材１０の基部１９が位置することとなるので、不必要な光をベース部材１０の基部１９で遮ってレンズ２１Ａ，２１Ｂに入射することを防止することができる。
【００５１】
ここで、図１２に示すように、例えばカメラモジュール２０Ｂのレンズ部２２Ｂをベース部材１０の基部１９から＋Ｙ方向側に突出しないように構成してもよい。図１２に示す例では、レンズ部２２Ｂの＋Ｙ方向側の端部が、ベース部材１０の開口１１Ｂ内に位置している。このような構成により、例えばレンズ部２２Ｂのレンズ２１Ｂが望遠レンズである場合などに、羽根部材４０がレンズ２１Ｂに接触してレンズ２１Ｂの光学特性に影響を与えることを防止することができる。このような構成は、カメラモジュール２０Ｂだけではなくカメラモジュール２０Ａにも適用可能であることは言うまでもない。
【００５２】
この場合において、図１２に示すように、レンズ部２２Ｂを光軸方向に移動させるレンズ移動機構７０（図４）をカメラモジュール２０Ｂ内に設けてもよい。例えば、羽根部材４０が閉位置にあるとき、すなわち撮像装置２を使用していないときには、図４に示すように、レンズ部２２Ｂの＋Ｙ方向側の端部をベース部材１０の開口１１Ｂ内に位置させておき、撮像装置２を使用する際には、上述のようにモータ６０を駆動して羽根部材４０を開位置に移動するとともに、レンズ移動機構７０を駆動してレンズ部２２Ｂがベース部材１０の基部１９から＋Ｙ方向側に突出するようにレンズ部２２Ｂを移動してもよい。このような構成によれば、撮像装置２を使用していないときには、羽根部材４０がレンズ２１Ｂに接触してレンズ２１Ｂの光学特性に影響を与えることを防止することができるとともに、撮像装置２を使用する際には、レンズ２１Ｂにより得られる像にケラレが発生することを防止できる。
【００５３】
あるいは、羽根部材４０が閉位置にあるとき、すなわち撮像装置２を使用していないときには、レンズ部２２Ｂの＋Ｙ方向側の端部を羽根部材４０よりも−Ｙ方向側に位置させておき、撮像装置２を使用する際には、モータ６０を駆動して羽根部材４０を開位置に移動するとともに、レンズ移動機構７０を駆動してレンズ部２２Ｂが羽根部材４０を越えて＋Ｙ方向側に突出するようにレンズ部２２Ｂを移動してもよい。このような構成によれば、撮像装置２を使用していないときには、羽根部材４０がレンズ２１Ｂに接触してレンズ２１Ｂの光学特性に影響を与えることを防止することができるとともに、撮像装置２を使用する際には、レンズ２１Ｂの焦点距離を広い範囲で調整することができる。
【００５４】
このようなレンズ移動機構７０は、特開２０１３−２４９３８号公報や米国特許出願公開第２０１７／２６１７２０号明細書などに開示されている周知技術を用いて実現することができるので、ここでは詳細な説明を省略する。
【００５５】
上述した実施形態では、２つのレンズ２１Ａ，２１Ｂを備えた撮像装置２について説明したが、レンズの個数は２つ以上であればいくつであってもよい。例えば、図１３に示すように、３つのレンズ２１Ａ，２１Ｂ，２１Ｃを備えた撮像装置１０２にも本発明を適用することが可能である。
【００５６】
上述した実施形態では、回転角度を制御可能なステッピングモータをモータ６０として用いた例を説明したが、本実施形態におけるモータ６０は、駆動部材３０を介して羽根部材４０を閉位置から開位置に、あるいは開位置から閉位置に変化させることができればよく、閉位置と開位置との間では羽根部材４０の位置を制御する必要がない。したがって、モータ６０としてステッピングモータ以外のモータを用いることも可能である。また、モータ６０の種類も特定のものに限られるものではなく、例えば、扁平型モータ又はボイス・コイル・モータなどをモータ６０として用いてもよい。
【００５７】
また、上述した実施形態では、モータ６０の駆動により駆動部材３０が軸Ｐを中心として回転する例を説明したが、駆動部材３０が羽根部材４０の位置を変化させることができるのであれば、駆動部材３０の移動は必ずしも回転に限られるものではない。
【００５８】
さらに、上述した実施形態では、羽根部材４０の回転軸としてベース部材１０に設けられた回転ピン１５を用いているが、このような回転ピンを羽根部材４０に設け、羽根部材４０の回転ピンに対応する軸孔をベース部材１０に形成してもよい。同様に、羽根部材４０を駆動する駆動ピンとして駆動部材３０に設けられた駆動ピン３１を用いているが、このような駆動ピンを羽根部材４０に設け、羽根部材４０の駆動ピンに対応するガイド溝を駆動部材３０に形成してもよい。
【００５９】
これまで本発明の好ましい実施形態について説明したが、本発明は上述の実施形態に限定されず、その技術的思想の範囲内において種々異なる形態にて実施されてよいことは言うまでもない。
【符号の説明】
【００６０】
１    スマートフォン
２    撮像装置
１０    ベース部材
１１Ａ，１１Ｂ  開口
１２    収容壁（位置決め部）
１３    接着材貯留部
１４    溝部
１５    回転ピン
１６    当接ピン
１９    基部
２０Ａ，２０Ｂ  カメラモジュール
２１Ａ，２１Ｂ  レンズ
２２Ａ，２２Ｂ  レンズ部
２３Ａ，２３Ｂ  撮像部
３０    駆動部材
３１    駆動ピン
３２    ギア
３３    リング部
４０    羽根部材
４１    先端部
４２    軸孔
４３    ガイド溝
５０    羽根押さえ
５２    円形孔
５３    円弧孔
６０    モータ
７０    レンズ移動機構
１０２    撮像装置
ＥＡ，ＥＢ    貯留空間
ＬＡ，ＬＢ    光軸
ＲＡ，ＲＢ    収容空間
【図１】
2020098272.tif 000003
【図２Ａ】
2020098272.tif 000004
【図２Ｂ】
2020098272.tif 000005
【図２Ｃ】
2020098272.tif 000006
【図３】
2020098272.tif 000007
【図４】
2020098272.tif 000008
【図５Ａ】
2020098272.tif 000009
【図５Ｂ】
2020098272.tif 000010
【図６Ａ】
2020098272.tif 000011
【図６Ｂ】
2020098272.tif 000012
【図７】
2020098272.tif 000013
【図８】
2020098272.tif 000014
【図９】
2020098272.tif 000015
【図１０】
2020098272.tif 000016
【図１１】
2020098272.tif 000017
【図１２】
2020098272.tif 000018
【図１３】
2020098272.tif 000019